(57)【要約】【課題】空気を逆流させてフィルタの塵落としを自動的に行う場合でも、最外のフィルタとのその内側のフィルタとの間での粉塵の貯留を防止し、集塵性能を維持する。【解決手段】モータ及びファンを有する吸気ユニットと吸込口との間に、一次フィルタ２２とその内側の二次フィルタとを少なくとも有するフィルタユニット２１を設けて、吸込口から吸い込まれた空気をフィルタユニット２１に通過させて塵埃を捕捉可能とする一方、フィルタユニット２１の下流側の吸気通路２０内で空気を逆流させてフィルタユニット２１に内側から通過させる逆流手段を設けて、逆流した空気により一次フィルタ２２に付着した塵埃を払い落とし可能とした集塵機であって、一次フィルタ２２の底部に、塵埃の排出口３７を設けると共に、排出口３７に、逆流手段による空気の逆流時にのみ開弁して排出口３７を開放させる逆止弁３２を設けた。【選択図】図１３
2017056399.tif 000002
【特許請求の範囲】
【請求項１】
吸込口を備えたタンクの上部に、モータ及びファンを有する吸気ユニットを備えた本体を載置して、前記吸込口と前記吸気ユニットとの間に、一次フィルタとその内側の二次フィルタとを少なくとも有するフィルタユニットを設けて、前記吸込口から吸い込まれた空気を前記フィルタユニットに通過させて塵埃を捕捉可能とする一方、
前記フィルタユニットの下流側の吸気通路内で空気を逆流させて前記フィルタユニットに内側から通過させる逆流手段を設けて、逆流した空気により前記一次フィルタに付着した塵埃を払い落とし可能とした集塵機であって、
前記一次フィルタの底部に、塵埃の排出口を設けると共に、前記排出口に、前記逆流手段による空気の逆流時にのみ開弁して前記排出口を開放させる逆止弁を設けたことを特徴とする集塵機。
【請求項２】
前記フィルタユニットを一対設けて、前記逆流手段は、空気の逆流を前記両フィルタユニットに対して交互に行うことを特徴とする請求項１に記載の集塵機。
【請求項３】
前記一次フィルタの底部に、塵埃の貯留部を設けたことを特徴とする請求項１又は２に記載の集塵機。
【請求項４】
前記逆流手段を実行する際には、前記モータの回転数を上げることを特徴とする請求項１乃至３の何れかに記載の集塵機。
【発明の詳細な説明】
【技術分野】
【０００１】
本発明は、吸込口を設けたタンクの上部に、吸気ユニットを備えた本体を載置して、電吸気ユニットの駆動により吸込口から外気を吸い込んで、吸込口と吸気ユニットとの間に設けたフィルタで粉塵を捕捉する集塵機に関する。
【背景技術】
【０００２】
集塵機は、吸込口を設けたタンクの上部に、モータ及びファンを含む吸気ユニットを備えた本体を設けて、モータの駆動により吸込口から外気を吸い込んで、タンク内に設けたフィルタで外気中の粉塵を捕捉する。
このような集塵機は、使用に伴ってフィルタに粉塵が付着して集塵効率を低下させることから、フィルタの掃除を行う必要がある。そこで、本件出願人は、特許文献１に開示されるように、吸気通路を、タンク内に突出する多重のフィルタを備えて吸気ユニットの上流側で合流するよう一対形成し、吸気ユニットの下流側の排気通路と各吸気通路とを連通路で連通させ、各吸気通路における連通路より下流側に、吸気通路を開閉可能で、常態では吸気通路を開放する位置に付勢される第１開閉部材をそれぞれ設ける一方、連通路に、連通路を開閉可能で常態では連通路を閉鎖する位置に付勢され、第１開閉部材による吸気通路の閉動作に連動して連通路を開放する第２開閉部材を設けて、第１開閉部材をモータ駆動するカム部材によって交互に閉動作させることで、運転中に排気を交互に逆流させて一対のフィルタの塵落としを自動的に行うようにした集塵機を提供している。
【先行技術文献】
【特許文献】
【０００３】
【特許文献１】特開２０１３−１２８５６５号公報
【発明の概要】
【発明が解決しようとする課題】
【０００４】
このようにフィルタに対して吸気と逆流とを交互に行うと、最外のフィルタが膨張と収縮とを繰り返すことで、最外のフィルタの目が拡大してしまう。このため、粉塵が最外のフィルタを通過してその内側のフィルタとの間に貯留し、集塵性能を低下させるおそれがあった。
【０００５】
そこで、本発明は、空気を逆流させてフィルタの塵落としを自動的に行う場合でも、最外のフィルタとのその内側のフィルタとの間での粉塵の貯留を防止し、集塵性能を維持できる集塵機を提供すること目的としたものである。
【課題を解決するための手段】
【０００６】
上記目的を達成するために、請求項１に記載の発明は、吸込口を備えたタンクの上部に、モータ及びファンを有する吸気ユニットを備えた本体を載置して、吸込口と吸気ユニットとの間に、一次フィルタとその内側の二次フィルタとを少なくとも有するフィルタユニットを設けて、吸込口から吸い込まれた空気をフィルタユニットに通過させて塵埃を捕捉可能とする一方、フィルタユニットの下流側の吸気通路内で空気を逆流させてフィルタユニットに内側から通過させる逆流手段を設けて、逆流した空気により一次フィルタに付着した塵埃を払い落とし可能とした集塵機であって、
一次フィルタの底部に、塵埃の排出口を設けると共に、排出口に、逆流手段による空気の逆流時にのみ開弁して排出口を開放させる逆止弁を設けたことを特徴とするものである。
請求項２に記載の発明は、請求項１の構成において、フィルタユニットを一対設けて、逆流手段は、空気の逆流を両フィルタユニットに対して交互に行うことを特徴とするものである。
請求項３に記載の発明は、請求項１又は２の構成において、一次フィルタの底部に、塵埃の貯留部を設けたことを特徴とするものである。
請求項４に記載の発明は、請求項１乃至３の何れかの構成において、逆流手段を実行する際には、モータの回転数を上げることを特徴とするものである。
【発明の効果】
【０００７】
請求項１に記載の発明によれば、一次フィルタの底部に、塵埃の排出口を設けると共に、排出口に、逆流手段による空気の逆流時にのみ開弁して排出口を開放させる逆止弁を設けたことで、空気を逆流させて一次フィルタの塵落としを自動的に行う場合でも、一次フィルタとのその内側の二次フィルタとの間での粉塵の貯留を防止でき、集塵性能を維持することができる。
請求項２に記載の発明によれば、請求項１の効果に加えて、逆流手段は、空気の逆流を２つのフィルタユニットに対して交互に行うので、集塵と塵落としとを効率良く行うことができる。
請求項３に記載の発明によれば、請求項１又は２の効果に加えて、一次フィルタの底部に、塵埃の貯留部を設けたことで、逆止弁が開弁した際の塵埃の排出をスムーズに行うことができる。
請求項４に記載の発明によれば、請求項１乃至３の何れかの効果に加えて、逆流手段を実行する際には、モータの回転数を上げるようにしているので、集塵と塵落としとを片方ずつ行っても両機能を好適に維持できる。
【図面の簡単な説明】
【０００８】
【図１】集塵機の斜視図である。
【図２】本体部分の斜視図である。
【図３】本体の分解斜視図である。
【図４】本体部分の中央縦断面図である。
【図５】一次フィルタの斜視図である。
【図６】一次フィルタの下部の拡大図で、（Ａ）が逆止弁閉状態、（Ｂ）が逆止弁開状態をそれぞれ示す。
【図７】本体ケースの斜視図である。
【図８】本体ケースカバーの斜視図である。
【図９】本体ケースの平面図である。
【図１０】本体ケースの底面図である。
【図１１】上開閉板の斜視図である。
【図１２】逆流駆動部の位置での本体の断面図である（通常モード）。
【図１３】逆流駆動部の位置での本体の断面図である（塵落としモード）。
【発明を実施するための形態】
【０００９】
以下、本発明の実施の形態を図面に基づいて説明する。
図１は、集塵機の一例を示す斜視図、図２は本体の斜視図、図３は分解斜視図で、何れもカウリングは省略して示している。集塵機１は、走行台２とタンク３と本体４とを備えている。走行台２は合成樹脂によって成形されて、走行台２の上面には円形状の凹部５が設けられている。走行台２の前方中央の底面には一つの前輪６が回転自在に設けられ、走行台２の後方左右には一対の後輪７，７が回転自在に設けられている。集塵機１は、前輪６及び後輪７，７によって走行可能とされている。
【００１０】
タンク３は、ステンレス製で上部を開口する有底円筒状に成形されている。タンク３は、下部を凹部５に嵌合させることで走行台２の上面に載置される。タンク３の前面には、吸込口８が形成されて図示しない集塵ホースが接続可能となっている。さらにタンク３の左右の側面には、フック９，９が取り付けられて、フック９，９の端部を後述する本体ケース１１の左右上面に設けた係合部５２，５２に係合させることで、本体４はタンク３の上部に固定可能となっている。
【００１１】
本体４は、図４にも示すように、下方から、フィルタ固定ベース１０と、本体ケース１１と、本体ケースカバー１２と、カウリング１３とを備えている。
まず、フィルタ固定ベース１０は、本体ケース１１の下面にネジ固定される平面視略円形の箱状体となっている。フィルタ固定ベース１０の内側には、左右方向の中央で前寄りに位置する円形凹部１５と、その円形凹部１５の後方に位置して円形凹部１５と連続し、円形凹部１５を中心に周方向に沿って左右に伸びる湾曲凹部１６とからなる下側凹部１４が形成されている。下側凹部１４の左右方向の中央には、円形凹部１５から湾曲凹部１６の中心に亘って前後方向の深底部１７が下向きに突設されている。また、湾曲凹部１６の底部で左右端には、深底部１７の左右外側で前後方向に延びる長孔１８，１８が開設されている。下側凹部１４の開口周縁には、全周に亘ってシール部材１９が配設される。よって、フィルタ固定ベース１０内には、長孔１８から進入した空気が湾曲凹部１６の両端から中央に移動して合流し、深底部１７を通って円形凹部１５に達する吸気通路２０が形成される。
【００１２】
また、フィルタ固定ベース１０の下面には、左右一対のフィルタユニット２１，２１が取り付けられている。このフィルタユニット２１は、一次フィルタ２２と、その内側に位置する二次フィルタ２３と、両フィルタ２２，２３の間に介在されるダンパ２４とからなる。まず、一次フィルタ２２は、帯電防止加工を施した織布により形成され、平面視長円形状で上部が開口する有底筒となっている。一次フィルタ２２の上端外周には、平面視同形状の係止枠２５が外側から係止している。この係止枠２５の内側下縁を、フィルタ固定ベース１０の底面に設けた係止爪２６に係止させ、係止枠２５の外側下縁を、フィルタ固定ベース１０の左右の側面に設けたラッチ２７に係止させることで、一次フィルタ２２は、フィルタ固定ベース１０の下面から吊り下げ状態で固定される。
【００１３】
二次フィルタ２３は、一次フィルタ２２より一回り小さい平面視長円形の有底筒となる紙製のフィルタ部２８と、そのフィルタ部２８の上端に固着されるフランジ板２９とからなる。二次フィルタ２３は、フランジ板２９を係止枠２５の内周縁に係止させることで、一次フィルタ２２内への突出状態で固定される。フランジ板２９の中央には、フィルタユニット２１の取付状態でフィルタ固定ベース１０の長孔１８に近接する排出孔３０が形成されている。３１は、排出孔３０の周縁上側に設けられてフィルタ固定ベース１０の下面に当接し、長孔１８と排出孔３０との間をシールするシール部材である。
ダンパ２４は、一次フィルタ２２と二次フィルタ２３のフィルタ部２８との間で全周に亘って介在される板状のスポンジから形成されている。
【００１４】
そして、一次フィルタ２２の底面には、図５，６に示すように、前後に一対の逆止弁３２，３２が設けられている。この逆止弁３２は、一次フィルタ２２の底面に形成した透孔３３を閉塞するフランジ３５を周設したリング状の弁座部３４と、弁座部３４に上下動可能に支持される弁体３６とからなる。弁座部３４には、周方向に複数の排出口３７，３７・・が形成され、下面には、中央から下方へ行くに従って拡開するテーパ状の弁座３８が形成されている。弁座部３４の上面は弁座３８と逆のテーパ状に形成されて塵埃が溜まる貯留部３９となっている。弁体３６は、弁座３８と同じテーパ状に拡開した形状で、弁座部３４を貫通した中心部４０の上端に、同軸でストッパ４１を連結し、ストッパ４１の上端に形成した大径部４２と弁座部３４との間にコイルバネ４３を介在させている。よって、弁体３６は、常態では図６（Ａ）のようにコイルバネ４３の付勢によって弁座３８に当接して排出口３７を閉塞する上昇位置にあり、後述する空気の逆流時には、同図（Ｂ）のようにコイルバネ４３の付勢に抗して下降して弁座３８から離れ、排出口３７を下方へ開放させることになる。
【００１５】
一方、フィルタ固定ベース１０の下面において、フィルタユニット２１，２１の間よりも前方には、下方へ突出する電極保持板４４が、フィルタ固定ベース１０を本体ケース１２へ固定するネジ４５，４５・・を利用して固定されている。この電極保持板４４の裏面には、左右方向に所定間隔をおいて上下方向で同じ位置に一対の水位検知電極（図示せず）が保持されている。運転中は一対の水位検知電極に電圧を印加しておき、水を介して両水位検知電極間が導通したときに、タンク３内に浸入した水が一定量になったことを検知する。こうして水の一定量の貯留を検知すると、集塵機１の運転を自動的に停止させてブザー４６（図２，３）で報知する。
【００１６】
本体ケース１１は、フィルタ固定ベース１０よりも一回り大きい合成樹脂製の円盤で、図７に示すように、上面には、平面視でフィルタ固定ベース１０の下側凹部１４を含み、前方部が円形凹部１５よりも一回り大きく且つ右方向へ広がる形状となる上側凹部４７が形成されている。上側凹部４７の底で中央よりもやや前方には、上面が開口する有底の筒状部４８が下向きに突設されている。この筒状部４８の下面中央には、円形の通気孔４９が形成されている。フィルタ固定ベース１０をネジ４５，４５・・によって本体ケース１１の下面に固定した状態で、筒状部４８は、下側凹部１４の円形凹部１５に嵌合して通気孔４９を深底部１７に連通させる。上側凹部４７には、下側凹部１４の周縁に合わせた形状となる突条５０が形成されて、突条５０の下面に形成される溝に、下側凹部１４の開口周縁に設けたシール部材１９を嵌合させることで、下側凹部１４をシールしている。本体ケース１１の後部には、ホース等を保持可能なホルダ部５１が突設され、左右の上面には、フック９の係合部５２，５２が形成されている。本体ケース１１の下面で外周面よりも内側には、本体４をタンク３上に載置した際にタンク３の上端開口に当接してシールするシールリング５３が設けられている。
【００１７】
筒状部４８には、吸気ユニット５４が設けられている。この吸気ユニット５４は、図４に示すように、固定子５６と回転子５７とを備えて回転子５７の回転軸５８を下向きにしたモータ５５と、回転軸５８の下端に取り付けられた複数のファン５９とを含んでなる。固定子５６は、回転軸５８が軸支される固定板６０に上方からネジ止めされて、固定板６０の下面には、ファン５９を覆うファンカバー６１が嵌合されて、ファンカバー６１の下部中心に形成した吸気口６２を筒状部４８の通気孔４９の真上に位置させている。６３は、筒状部４８の底とファンカバー６１の下面との間に設けられて通気孔４９と吸気口６２との間をシールするリング状のシール部材である。
固定子５６の外側には、ブラシ６４及び回転軸５８の軸受６５を保持する筒状のケーシング６６が固着されて、ケーシング６６の上側には、回転軸５８の上端に設けた冷却ファン６７を囲むリング状のバッフル板６８が設けられている。
【００１８】
上側凹部４７から突出するファンカバー６１の周面には、平面視で時計回り方向へ開口して接線方向へ空気を排出する複数の吹き出し口６９，６９・・が形成されている。上側凹部４７の底面には、左側からファンカバー６１の後方に沿って湾曲し、ファンカバー６１の右端近傍に達する円弧状のガイドリブ７０が立設されている。よって、上側凹部４７内には、吹き出し口６９から吹き出された空気がガイドリブ７０及び上側凹部４７の内壁４７ａに沿って時計回りに回転し、ファンカバー６１の右側から後方へ移動してガイドリブ７０の後側に回り込む排気通路７１が形成される。ファンカバー６１の外側には、ガイドリブ７０から上側凹部４７の内壁４７ａに沿って引き回され、ファンカバー６１の右端近傍に達する帯板状の吸音材（スポンジ）７２が設けられている。
【００１９】
また、ガイドリブ７０の後方で上側凹部４７内には、逆流駆動部７３が設けられている。この逆流駆動部７３は、筒状部４８の後方に形成される筒体７４に、上側にＤＣモータ７５を、下側に減速機７６を組み付けたスリーブ７７を差し込んでネジ固定し、上側凹部４７を貫通して下側凹部１４内に突出する最終出力軸７８に、側面視Ｌ字状のカム部材７９を連結してなる。減速機７６は、複数の遊星歯車８１を支持するキャリア８０を軸方向に二段並設してなり、一段目の遊星歯車８１をＤＣモータ７５の出力軸８２に設けたピニオンと噛合させ、二段目のキャリア８０を最終出力軸７８に連結して、カム部材７９を湾曲凹部１６内に突出させている。ここではＤＣモータ７５の停止状態ではカム部材７９の先端が前方を向くニュートラル位置にあり、ＤＣモータ７５の正逆回転により、カム部材７９が左右へ旋回可能となっている。
【００２０】
さらに、突条５０に囲まれる上側凹部４７の後方部分４７ｂにおいて、逆流駆動部７３の左右には、図９，１０にも示すように、上側凹部４７内の排気通路７１と下側凹部１４内の吸気通路２０とを連通させる一対の長方形の連通孔８３，８３が、長辺を前後方向からやや外側に傾斜させた角度で形成されている。この連通孔８３の前後の短辺には、下方へ行くほど互いに近づく方向へ傾斜する逆台形状の一対の傾斜板８４，８４が下向きに連設されて、図１２，１３にも示すように、逆流駆動部７３と左右の長孔１８，１８との間で、傾斜板８４，８４の下端同士が下側凹部１４の底面上で連結板８５により連結されている。下側凹部１４内で傾斜板８４，８４の外側は、下側凹部１４内に設けた閉塞板８６によって閉塞されていることから、長孔１８，１８から吸い込まれた空気は、左右の傾斜板８４，８４の間のみを通って深底部１７に至ることになる。８７は、傾斜板８４及び連結板８５の外面に沿って貼着されて閉塞板８６との間をシールするシール部材である。各傾斜板８４における逆流駆動部７３側の側縁は、下方へ行くに従って逆流駆動部７３から離れる方向へ傾斜して、逆流駆動部７３側へ斜め下向きに開口する出口８８を形成している。
【００２１】
そして、各出口８８の内側には、下開閉板８９，８９が設けられている。この下開閉板８９は、出口８８よりやや大きい逆台形状となる板体で、上端に設けた支軸９０を、本体ケース１１の下面で連通孔８３の長辺に沿って形成された取付溝９１と、図３に示すように閉塞板８６から内側へ延設した一対の支持板９２，９２の上端に設けられた切欠き９３，９３との間で挟持させることで、本体ケース１１の下面から湾曲凹部１６内で吊り下げ支持される。よって、下開閉板８９は、傾斜板８４から離れた垂下姿勢となって出口８８と深底部１７とを連通させる開放位置と、傾斜板８４側へ揺動して出口８８を閉塞する閉塞位置との間を揺動可能となっている。下開閉板８９の出口８８側の面には、閉塞位置で出口８８との間をシールするシール部材９４が設けられている。
【００２２】
一方、本体ケース１１の上側凹部４７内で連通孔８３，８３の内側には、上開閉板９５，９５が設けられている。この上開閉板９５は、図３，１１にも示すように、連通孔８３を上方から閉塞可能な四角形の板体で、内側の長辺に沿って設けた支軸９６の両端を、上側凹部４７上に設けた受部９７，９７（図７，９）にそれぞれ保持させることで、連通孔８３を上方から開閉可能となっているが、常態では自重によって連通孔８３を閉塞する閉塞位置に付勢されている。上開閉板９６の下面には、閉塞位置で連通孔８３との間をシールするシール部材９８が設けられている。
また、上開閉板９５の下面には、連通孔８３を貫通して傾斜板８４，８４間内に伸び、下端が出口８８側へカーブする棒状の腕部９９が設けられている。この腕部９９は、上開閉板９５の閉塞位置では出口８８を貫通して内側まで突出しており、下開閉板８９が閉塞位置へ揺動すると、下開閉板８９に押圧されることで上開閉板９５を、連通孔８３を開放する開放位置へ押し上げるようになっている（図１３）。こうして下開閉板８９によって出口８８が閉塞されると共に、上開閉板９５によって連通孔８３が開放されると、吸気通路２０が連通孔８３を介して排気通路７１と連通する。
【００２３】
そして、本体ケースカバー１２は、合成樹脂製で、図８に示すように、本体ケース１１の上側凹部４７を閉塞する下板１００の中央前寄りには、吸気ユニット５４を上方から覆う筒状のユニットカバー１０１が設けられている。このユニットカバー１０１の下端は、下板１００よりも下方へ突出して固定板６０の上面外周に設けたシール材１０２に嵌合している（図４）。下板１００において、上側凹部４７の排気通路７１の終端に当たる部位には、四角形状の透孔１０３が形成されている。また、下板１００の外周には、左右及び後部にかけて側板１０４が立設されており、側板１０４の後部及び左部には複数の排気口１０５，１０５・・が形成され、右部後方には吸気口１０６，１０６・・が形成されている。
【００２４】
さらに、下板１００及びユニットカバー１０１の上面には、側板１０４における吸気口１０６の形成領域の両側に連結されて逆流駆動部７３の外側を迂回してユニットカバー１０１の上面中央をＵ字状に囲む仕切リブ１０７が形成されている。カウリング１３を被着した状態では、図４のようにカウリング１３の内面に設けたシール材１０８に仕切リブ１０７の上端が当接することで、仕切リブ１０７の内側に、吸気口１０６から冷却ファン６７に至る吸気路１０９が形成される。同時に仕切リブ１０７の外側には、透孔１０３から各排気口１０５に至る排気路１１０が形成される。ユニットカバー１０１の左側下部には、排気路１１０側へ開口する開口部１１１が形成されている。
【００２５】
一方、下板１００上でユニットカバー１０１の前方には、運転スイッチ１１３や吸込量調整ダイヤル１１４、モード切替ダイヤル１１５、連動コンセント１１６を備えた操作パネル１１２が設けられて、ブザー４６は操作パネル１１２の後方に配置されている。
また、ユニットカバー１０１の右側には、仕切リブ１０７と連続するリブ１１７によってコントローラ１１８の収容部１１９が形成されている。コントローラ１１８は、図示しない制御回路基板をケース１２０内に収容してなり、制御回路基板に接続した放熱板１２１を、リブ１１７を貫通して吸気路１０９内に突出させている。
さらに、ユニットカバー１０１の左側で側板１０４の上部には、図３に示す断面逆Ｌ字状のフックカバー１２２が、両端に設けた支軸１２３を側板１０４に設けた受け部１２４に保持させることで、開閉可能に取り付けられている。このフックカバー１２２は、開放状態では上向きの端部にホース等を引っ掛けたり、当該端部とカウリング１３の上面との間でマルノコ等の電動工具を一時置きしたりすることに利用される。なお、カウリング１３の後部にも、上向きに突出するフック１２５が設けられている。図４に示す１２６はハンドルで、後側の排気口１０５と仕切リブ１０７との間と透孔１０３の上方にも吸音材７２，７２が設けられて、その上方をカバー板１２７で閉塞している。コントローラ１１８から右側には電源コード１２８が引き出されている。
【００２６】
以上の如く構成された集塵機１においては、操作パネル１１２に設けたモード切替ダイヤル１１５で通常モードを選択した状態で、運転スイッチ１１３をＯＮ操作すると、吸気ユニット５４のモータ５５が駆動することでファンカバー６１内のファン５９が回転する。すると、集塵ホースを介して吸込口８から粉塵を含んだ空気がタンク３内に吸い込まれる。吸い込まれた空気は、左右のフィルタユニット２１において、一次フィルタ２２、ダンパ２４、二次フィルタ２３の順に通過して長孔１８からフィルタ固定ベース１０の下側凹部１４内の吸気通路２０にそれぞれ進入する。このとき、一次フィルタ２２で粉塵を捕捉すると共に、一次フィルタ２２を通過した細かい粉塵を二次フィルタ２３で捕捉する。
【００２７】
フィルタユニット２１から吸気通路２０に進入した空気は、図４，１２に点線矢印で示すように、傾斜板８４，８４間を通り、下開閉板８９に閉塞されない出口８８から深底部１７にそれぞれ進入して合流した後に、本体ケース１１の通気孔４９からファンカバー６１の吸気口６２を介してファンカバー６１内に導かれる。そして、空気は、ファン５９によって遠心力を付与されて各吹き出し口６９から本体ケース１１の上側凹部４７内に吐き出された後、一点鎖線矢印で示すように排気通路７１を通って吸気ユニット５４の後方へ回り込み、透孔１０３から本体ケースカバー１２の排気路１１０に至って各排気口１０５から本体４の外部に排出される。
このとき、モータ５５の回転軸５８の回転に伴い、冷却ファン６７が回転して吸気口１０６から外気を取り込んで吸気路１０９からケーシング６６内を通過させることでモータ５５を冷却する。モータ５５を冷却した空気は、左側の開口部１１１から排気路１１０を通って排気口１０５から排出される。
【００２８】
一方、モード切替ダイヤル１１５で塵落としモードを選択した状態で運転させると、コントローラ１１８は、モータ５５の回転数を通常モードよりも高く制御すると共に、ＤＣモータ７５を駆動させて出力軸８２を所定時間（例えば１０秒）毎に左右へ回転させ、カム部材７９を左右へ交互に旋回させる。すると図１３に示すように、カム部材７９が当接した下開閉板８９は、傾斜板８４に当接して出口８８を閉塞する閉塞位置へ移動すると共に、腕部９９を介して上開閉板９５を押し上げて、連通孔８３を開放する開放位置へ移動させる。これにより、出口８８が閉塞された吸気通路２０が、連通孔８３を介して排気通路７１と連通することになる。この状態では、タンク３内や本体ケース１１内が負圧になっているため、排気通路７１を通過した排気は、一点鎖線矢印で示すように、連通孔８３から吸気通路２０内に導かれ、吸気通路２０を逆流して長孔１８から二次フィルタ２３、ダンパ２４、一次フィルタ２２の順に通過してタンク３内に戻される。この逆流する排気によって当該一次フィルタ２２が膨張し、表面に付着していた粉塵を吹き飛ばすことができる。特に先の吸込によってダンパ２４と共に収縮していた両フィルタ２２，２３が、ダンパ２４の弾性復帰による付勢と相俟って勢いよく膨張するため、粉塵を効果的に払い落とすことができる。また、一次フィルタ２２には帯電防止加工が施されているため、粉塵が静電気で一次フィルタ２２に吸着することが抑えられ、粉塵の剥離性が向上する。
【００２９】
そして、フィルタユニット２１を通過してタンク３内に戻された排気は、反対側のフィルタユニット２１を通過した後に長孔１８から吸気通路２０に進入して合流する。
こうして運転中には、カム部材７９によって、下開閉板８９による出口８８の閉塞及び上開閉板９５による連通孔８３の開放を、左右で交互に行うため、左右のフィルタユニット２１，２１による吸塵と塵落としとが交互に行われ、塵埃が付着しにくくなる。
このとき、一次フィルタ２２が収縮と膨張とを繰り返すことで、一次フィルタ２２の目が拡大して塵埃の侵入を許すことがあっても、逆流する排気の圧力により、一次フィルタ２２に設けた逆止弁３２の弁体３６は、図５（Ｂ）及び図１３に示すようにコイルバネ４３の付勢に抗して下降して弁座３８から離れ、排出口３７を開放させる。よって、一次フィルタ２２の内側に侵入した塵埃は、排出口３７から外部に排出され、フィルタユニット２１内に貯留することがない。
【００３０】
このように、上記形態の集塵機１によれば、一次フィルタ２２の底部に、塵埃の排出口３７を設けると共に、排出口３７に、逆流手段（逆流駆動部７３及び連通孔８３，上下開閉板９５，８９）による空気の逆流時にのみ開弁して排出口３７を開放させる逆止弁３２を設けたことで、排気を逆流させて一次フィルタ２２の塵落としを自動的に行う場合でも、一次フィルタ２２とのその内側の二次フィルタ２３との間での粉塵の貯留を防止でき、集塵性能を維持することができる。
特にここでは、フィルタユニット２１，２１を一対設けて、逆流手段は、空気の逆流を両フィルタユニット２１，２１に対して交互に行うので、集塵と塵落としとを効率良く行うことができる。
【００３１】
また、一次フィルタ２２の底部に、塵埃の貯留部３９を設けたことで、逆止弁３２が開弁した際の塵埃の排出をスムーズに行うことができる。
さらに、逆流手段を実行する際には、モータ５５の回転数を上げるようにしているので、集塵と塵落としとを片方ずつ行っても両機能を好適に維持できる。
そして、逆流手段を、吸気通路２０と排気通路７１とを連通させる連通孔８３と、その連通孔８３を開閉する上開閉板９５と、その上開閉板９５と連動し、上開閉板９５の開状態で吸気通路２０内の連通孔８３より下流側の出口８８を閉塞し、上開閉板９５の閉状態で出口８８を開放する下開閉板８９と、両開閉板９５，８９を開閉動作させる逆流駆動部７３とを含んでなるものとして、両開閉板９５，８９により連通孔８３を開放して出口８８を閉塞することで排気通路７１の空気を吸気通路２０に導いて逆流させている。よって、吸気ユニット５４を通過した排気を利用して塵落としを容易に行うことができる。
【００３２】
なお、逆止弁の構造は上記形態に限らず、排出口の数を増減したり、弁体として球体等の他の形状のものを使用したり等、適宜変更可能である。また、上記形態では一次フィルタに逆止弁を２つ設けているが、１つのみ設けたり、３つ以上設けたりしてもよい。
逆流手段も、上開閉板と下開閉板とを一体化したり、１つの開閉板を、連通孔を閉塞する位置から連通孔を開放して吸気通路を閉塞する位置へ移動させるようにしたり、カム部材を円板状にしたり等して差し支えない。
また、上記形態では２つのフィルタユニットを備えた集塵機となっているが、フィルタユニットが一つの場合でも、間欠的に空気を逆流させることで塵落としを行うことは可能である。フィルタユニット自体の構造も、ダンパを省略したり、三次以上のフィルタを重ねたりすることができる。
【符号の説明】
【００３３】
１・・集塵機、２・・走行台、３・・タンク、４・・本体、８・・吸込口、１０・・フィルタ固定ベース、１１・・本体ケース、１２・・本体ケースカバー、１３・・カウリング、１４・・下側凹部、１５・・円形凹部、１６・・湾曲凹部、１７・・深底部、１８・・長孔、２０・・吸気通路、２１・・フィルタユニット、２２・・一次フィルタ、２３・・二次フィルタ、２４・・ダンパ、２５・・係止枠、２８・・フィルタ部、３２・・逆止弁、３４・・弁座部、３６・・弁体、３７・・排出口、３８・・弁座、３９・・貯留部、４３・・コイルバネ、４７・・上側凹部、４８・・筒状部、５４・・吸込ユニット、５５・・モータ、５９・・ファン、６１・・ファンカバー、６９・・吹き出し口、７１・・排気通路、７３・・逆流駆動部、７５・・ＤＣモータ、７９・・カム部材、８３・・連通孔、８４・・傾斜板、８８・・出口、８９・・下開閉板、９５・・上開閉板、９９・・腕部、１０５・・排気口、１０６・・吸気口、１１２・・操作パネル、１１８・・コントローラ。
【図１】
2017056399.tif 000003
【図２】
2017056399.tif 000004
【図３】
2017056399.tif 000005
【図４】
2017056399.tif 000006
【図５】
2017056399.tif 000007
【図６】
2017056399.tif 000008
【図７】
2017056399.tif 000009
【図８】
2017056399.tif 000010
【図９】
2017056399.tif 000011
【図１０】
2017056399.tif 000012
【図１１】
2017056399.tif 000013
【図１２】
2017056399.tif 000014
【図１３】
2017056399.tif 000015